(57)【要約】【課題】ユーザが選択したコンテンツに基づいて物品デザインを生成し、ユーザ負担を軽減することが可能な情報処理装置、情報処理方法、およびプログラムを提供する。【解決手段】ユーザに選択されたコンテンツおよび前記コンテンツに関連する関連情報に基づいて、物品デザインを生成するためのパラメータを抽出する抽出部と、前記パラメータを用いて、指定された物品のデザインを生成する生成部と、前記生成したデザインを前記ユーザへ提示するよう制御する提示制御部と、を備える、情報処理装置。【選択図】図１
2017098760.tif 000002
【特許請求の範囲】
【請求項１】
ユーザに選択されたコンテンツおよび前記コンテンツに関連する関連情報に基づいて、物品デザインを生成するためのパラメータを抽出する抽出部と、
前記パラメータを用いて、指定された物品のデザインを生成する生成部と、
前記生成したデザインを前記ユーザへ提示するよう制御する提示制御部と、
を備える、情報処理装置。
【請求項２】
前記関連情報は、前記コンテンツに紐付けられた同じまたは異なる種別のコンテンツである、請求項１に記載の情報処理装置。
【請求項３】
前記コンテンツは、音楽データまたは画像データである、請求項１に記載の情報処理装置。
【請求項４】
前記関連情報は、前記コンテンツに埋め込まれているメタデータである、請求項３に記載の情報処理装置。
【請求項５】
前記関連情報は、音楽データに埋め込まれているメタデータから抽出したキーワードに基づいて検索した画像データである、請求項４に記載の情報処理装置。
【請求項６】
前記関連情報は、前記コンテンツに紐付けられた、ユーザの嗜好または状況が反映されたコンテンツである、請求項２に記載の情報処理装置。
【請求項７】
前記抽出部は、前記ユーザに選択されたコンテンツである音楽データまたは画像データを解析して得た特徴量からパラメータを抽出する、請求項１に記載の情報処理装置。
【請求項８】
前記パラメータは、色、形状、または質感の少なくともいずれかである、請求項１に記載の情報処理装置。
【請求項９】
前記生成部は、ユーザの外見的特徴をさらに用いて前記物品のデザインを生成する、請求項１に記載の情報処理装置。
【請求項１０】
前記生成部は、前記物品として、衣服、靴、鞄、装飾品、またはインテリアのデザインを生成する、請求項１に記載の情報処理装置。
【請求項１１】
前記関連情報は、センサによる検知結果に基づいて前記コンテンツと関連付けられる、請求項１に記載の情報処理装置。
【請求項１２】
前記センサは、心拍センサである、請求項１１に記載の情報処理装置。
【請求項１３】
前記関連情報は、音楽データまたは画像データである、請求項１２に記載の情報処理装置。
【請求項１４】
前記抽出部は、センサによる検知結果に基づいて、前記物品デザインを生成するためのパラメータを抽出する、請求項１に記載の情報処理装置。
【請求項１５】
前記センサは、匂いセンサである、請求項１４に記載の情報処理装置。
【請求項１６】
前記生成部は、ユーザからの変更指示に応じて前記物品のデザインを変更する、請求項１に記載の情報処理装置。
【請求項１７】
プロセッサが、
ユーザに選択されたコンテンツおよび前記コンテンツに関連する関連情報に基づいて、物品デザインを生成するためのパラメータを抽出することと、
前記パラメータを用いて、指定された物品のデザインを生成することと、
前記生成したデザインを前記ユーザへ提示するよう制御することと、
を含む、情報処理方法。
【請求項１８】
コンピュータを、
ユーザに選択されたコンテンツおよび前記コンテンツに関連する関連情報に基づいて、物品デザインを生成するためのパラメータを抽出する抽出部と、
前記パラメータを用いて、指定された物品のデザインを生成する生成部と、
前記生成したデザインを前記ユーザへ提示するよう制御する提示制御部と、
として機能させるための、プログラム。
【発明の詳細な説明】
【技術分野】
【０００１】
本開示は、情報処理装置、情報処理方法、およびプログラムに関する。
【背景技術】
【０００２】
近年、通信技術の発達により、個人と企業、個人と個人の間の情報交換が盛んに行われている。通常、一般向けに販売される商品は企業側が一方的にデザインを企画して製品化されたものであるが、昨今は消費者の好みを反映させるため、インターネット等を介してユーザ自身がデザインしたものや、いくつかの部品を用意してユーザ自身に選ばせた組み合わせで受注製作するシステムも提案されている（下記特許文献１、２）。
【先行技術文献】
【特許文献】
【０００３】
【特許文献１】特開２００２−１８９８４４号公報
【特許文献２】特開２００７−２８０３５１号公報
【特許文献３】特開２０１０−６６３６６号公報
【特許文献４】特開２０１１−２２８９１８号公報
【特許文献５】特開２０１０−１３４７９０号公報
【発明の概要】
【発明が解決しようとする課題】
【０００４】
しかしながら、ユーザ自身がデザインを行うことや、部品を組み合わせてカスタマイズすることは、自分の好みを反映できる一方、デザインの決定や材料の選択と購入に時間が掛かったり、また、ユーザによっては自分だけのオリジナリティーを表現したいが思い描くイメージ通りにデザインできなかったりといった問題もあった。【０００５】
ユーザの好みに応じた推薦に関しては、例えば特許文献３では、楽曲集合同士、楽曲と楽曲集合などの組み合わせで類似性を評価し、ユーザの好みに応じた楽曲集合や楽曲を推薦する技術が記載されている。また、特許文献４では、動画から分離した画像データに基づいて画像の構図と特定シーンの構図との類似度情報と、同動画から分離した音声データと特定シーンの音声データとの類似度情報とに基づいて特定シーンを適切に検出し、特定シーンの再生をユーザに提示する技術が記載されている。また、特許文献５には、楽曲の波形データを入力とし、ＣＧ映像の動きを制御することで音楽を視覚化する技術が記載されている。しかし、いずれも商品デザイン等の推薦に関しては言及されていない。【０００６】
そこで、本開示では、ユーザが選択したコンテンツに基づいて物品デザインを生成し、ユーザ負担を軽減することが可能な情報処理装置、情報処理方法、およびプログラムを提案する。
【課題を解決するための手段】
【０００７】
本開示によれば、ユーザに選択されたコンテンツおよび前記コンテンツに関連する関連情報に基づいて、物品デザインを生成するためのパラメータを抽出する抽出部と、前記パラメータを用いて、指定された物品のデザインを生成する生成部と、前記生成したデザインを前記ユーザへ提示するよう制御する提示制御部と、を備える、情報処理装置を提案する。【０００８】
本開示によれば、プロセッサが、ユーザに選択されたコンテンツおよび前記コンテンツに関連する関連情報に基づいて、物品デザインを生成するためのパラメータを抽出することと、前記パラメータを用いて、指定された物品のデザインを生成することと、前記生成したデザインを前記ユーザへ提示するよう制御することと、を含む、情報処理方法を提案する。【０００９】
本開示によれば、コンピュータを、ユーザに選択されたコンテンツおよび前記コンテンツに関連する関連情報に基づいて、物品デザインを生成するためのパラメータを抽出する抽出部と、前記パラメータを用いて、指定された物品のデザインを生成する生成部と、前記生成したデザインを前記ユーザへ提示するよう制御する提示制御部と、として機能させるための、プログラムを提案する。
【発明の効果】
【００１０】
以上説明したように本開示によれば、ユーザが選択したコンテンツに基づいて物品デザインを生成し、ユーザ負担を軽減することが可能となる。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態による情報処理システムの概要を説明する図である。
【図２】本実施形態による情報処理システムの全体構成について説明する図である。
【図３】本実施形態によるユーザ端末の構成例を示すブロック図である。
【図４】本実施形態によるサーバの構成例を示すブロック図である。
【図５】本実施形態によるデザイン提示処理を示すフローチャートである。
【図６】本実施形態によるデザイン生成処理を示すフローチャートである。
【図７】本実施形態によるデザイン提示画面の一例を示す図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による情報処理システムの概要
２．構成
２−１．全体構成
２−２．ユーザ端末の構成
２−３．サーバの構成
３．動作処理
３−１．デザイン提示処理
３−２．デザイン生成処理
４．表示例
５．まとめ
【００１５】
＜＜１．本開示の一実施形態による情報処理システムの概要＞＞
本開示の一実施形態による情報処理システムでは、ユーザが思い描く物品デザインをユーザが選択したコンテンツに基づいて生成し、ユーザ負担を軽減することが可能となる。まず、図１を参照して本実施形態による情報処理システムの概要について説明する。なお本実施形態では、物品デザインの一例としてファッション（衣服、靴、鞄、および装飾品を含む）のデザインを行う場合について説明するが、コップ等の食器、電子機器、または玩具等であってもよい。
【００１６】
図１は、本開示の一実施形態による情報処理システムの概要を説明する図である。まず、図１左側に示すように、ユーザは、楽曲情報、撮像画像、またはキーワード（テキストデータ）等の素材をスマートフォン等のユーザ端末１から投稿し、ファッションカテゴリ（トップス、ジャケット／アウター、ワンピース等）を指定する。具体的には、例えば好きな楽曲や、イラスト画像、撮影画像（例えば動物、風景、模様、またはイラスト等を撮影したもの）等をサーバ２（図２参照）にアップロードする。また、キーワードとしては、例えば「夏フェス」、「ハロウィン」、「ヴィンテージ」等が挙げられる。次いで、サーバ２は、投稿された素材からイメージされるファッションデザインを生成し、生成したデザイン画像１００を、図１右側に示すようにユーザ端末１からユーザに提示させる。
【００１７】
これにより、ユーザは、ファッションデザインを時間を掛けて生成したり、多数のファッションアイテムから選択して組み立てたりといった煩雑な操作を行うことなく、好きな画像や音楽等の素材を投稿するだけで、これらの素材からイメージされるデザインの商品プレビューを楽しむことができる。また、ユーザが学校の休み時間、仕事の休憩時間、家事の合間、または電車の待ちの時間のような隙間時間に手軽に素材を投稿して商品プレビューを見ることができるようにすることで、購買意欲を想起させることが可能となる。また、ユーザの斬新なコンテンツ選択により思いがけず思考に合うファッションが発見できる。また、斬新なファッションの発見により、新たなファッショントレンドの発信に影響を与えることも期待できる。
【００１８】
以上、本実施形態による情報処理システムの概要について説明した。続いて、本実施形態による情報処理システムの構成および動作処理について具体的に説明する。
【００１９】
＜＜２．構成＞＞
＜２−１．全体構成＞
図２は、本実施形態による情報処理システムの全体構成について説明する図である。図２に示すように、本実施形態による情報処理システムは、ユーザ端末１およびサーバ２を含む。ユーザ端末１およびサーバ２は例えばネットワーク３を介して接続され、データの送受信が可能となる。
【００２０】
ユーザ端末１は、図示するようなスマートフォンに限定されず、例えば携帯電話端末またはタブレット端末等のモバイル端末や、スマートウォッチまたはスマートアイグラス等のウェアラブル端末であってもよい。
【００２１】
サーバ２は、ユーザ端末１からネットワーク３を介して画像または楽曲等のファッションデザインの素材となるコンテンツを受信し、コンテンツに基づいて、指定されたファッションカテゴリのデザインを生成し、生成したデザインを示す画像をユーザ端末１に返送する。
【００２２】
以下、ユーザ端末１およびサーバ２の具体的な構成について順次説明する。
【００２３】
＜２−２．ユーザ端末の構成＞
図３は、本実施形態によるユーザ端末１の構成例を示すブロック図である。図３に示すように、ユーザ端末１は、制御部１０、通信部１１、カメラ１２、マイクロホン１３、操作入力部１４、記憶部１５、表示部１６、およびスピーカ１７を有する。
【００２４】
制御部１０は、演算処理装置および制御装置として機能し、各種プログラムに従ってユーザ端末１内の動作全般を制御する。制御部１０は、例えばＣＰＵ（Central  Processing  Unit）、マイクロプロセッサ等の電子回路によって実現される。
【００２５】
通信部１１は、外部装置と有線／無線を介してデータの送受信を行う。例えば通信部１１は、カメラ１２により取得された撮像画像、マイクロホン１３により取得された音声データ、または記憶部１５に格納されている楽曲情報等を、操作入力部１４から入力されたユーザ操作に応じた制御部１０の制御に従って、サーバ２送信する。
【００２６】
カメラ１２は、ユーザ操作に応じて周囲を撮像し、撮像した撮像画像を制御部１０に出力する。
【００２７】
マイクロホン１３は、ユーザ操作に応じて周囲の音声を収音し、収音した音声データを制御部１０に出力する。
【００２８】
操作入力部１４は、タッチパネル、スイッチ、またはボタン等により実現され、ユーザによる操作入力を検出し、検出した入力信号を制御部１０に出力する。
【００２９】
記憶部１５は、制御部１０の処理に用いられるプログラムや演算パラメータ等を記憶するＲＯＭ（Read  Only  Memory）、及び適宜変化するパラメータ等を一時記憶するＲＡＭ（Random  Access  Memory）により実現される。また、記憶部１５は、楽曲情報、撮像画像、録音データ（収音した音声データを含む）等のコンテンツを格納する。
【００３０】
表示部１６は、出力部の一例であって、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置により実現される。例えば表示部１６は、制御部１０の制御に従って、サーバ２から送信されたファッションデザイン画像を表示する。
【００３１】
スピーカ１７は、出力部の一例であって、音声信号を再生する。
【００３２】
＜２−３．サーバの構成＞
図４は、本実施形態によるサーバ２の構成例を示すブロック図である。図４に示すように、サーバ２は、制御部２０、通信部２１、パラメータモデルＤＢ２２、関連情報記憶部２３、デザインモデルＤＢ２４、およびデザイン記憶部２５を有する。
【００３３】
制御部２０は、演算処理装置および制御装置として機能し、各種プログラムに従ってサーバ２内の動作全般を制御する。制御部２０は、例えばＣＰＵ、マイクロプロセッサ等の電子回路によって実現される。また、本実施形態による制御部２０は、パラメータ抽出部２０１、デザイン生成部２０２、および提示制御部２０３として機能する。
【００３４】
パラメータ抽出部２０１は、通信部２１を介してユーザ端末１から送信されたファッションデザインの素材となるコンテンツおよび当該コンテンツに関連する関連情報に基づいて、ファッションデザインを生成するためのパラメータを抽出する。抽出するパラメータは、ファッションを決定付ける色、形状、質感（例えば材質）等である。以下、パラメータ抽出部２０１によるパラメータ抽出について具体的に説明する。
【００３５】
（Ａ．コンテンツに基づくパラメータ抽出）
ユーザから投稿されるファッションデザインの素材となるコンテンツは、例えば画像データ、音声データ、動画データ（画像データと音声データの組み合わせ）、またはテキストデータが想定される。ユーザは、ユーザ端末１のカメラ１２でデザインに使いたいイラストや動物等の被写体を撮影して撮影画像を投稿したり、好きな楽曲やミュージックビデオを投稿したり、デザインを説明する説明文やキーワードを投稿したりすることが可能である。投稿されるコンテンツは、単数に限定されず、複数であってもよい。
【００３６】
（Ａ−１．画像コンテンツ）
パラメータ抽出部２０１は、例えば投稿された撮像画像（紙に描かれたイラストを撮影した画像、模様や柄を撮影した画像、動物や風景を撮影した画像等）を画像解析して得た特徴量をパラメータとして抽出する。例えばパラメータ抽出部２０１は、画像解析により、撮像画像に含まれる色の種類、被写体の形状、被写体の質感、または被写体等を抽出する。また、パラメータ抽出部２０１は、色の種類ではなく、例えば撮像画像に写る空の明るさ等から明暗のパラメータを抽出してもよい。
【００３７】
（Ａ−２．音声コンテンツ）
また、パラメータ抽出部２０１は、投稿された楽曲（音楽コンテンツの一例）を音声解析して得た特徴量をパラメータとして抽出する。例えばパラメータ抽出部２０１は、音声解析により楽曲の波形、周波数成分、ピッチ、テンポ等を取得し、これらからパラメータ（色、形状、質感等）を抽出する。なお、どのような波形、周波数成分からどのようなパラメータを抽出するかは、例えばパラメータモデルＤＢ２２に格納されているモデルデータとのマッチングにより判断され得る。例えばパラメータ抽出部２０１は、楽曲に含まれるボーカルの声がハイトーンである場合やテンポが速い場合は、「薄い生地」をパラメータとして抽出してもよい。また、パラメータ抽出部２０１は、楽曲を音声認識し、得られた文章やキーワードに基づいてパラメータを抽出してもよい。例えば、楽曲の中で頻繁に登場するキーワードに対応する色、形状、質感がパラメータとして抽出される。
【００３８】
（Ａ−３．動画コンテンツ）
また、パラメータ抽出部２０１は、投稿された動画（例えばアーティストのＭｕｓｉｃ
Ｖｉｄｅｏ、ユーザがデザインのイメージを口頭やジェスチャーで説明している撮影動画等）を画像データと音声データに分離し、画像解析、シーン検出、音声解析、音声認識等を行って得た特徴量をパラメータとして抽出する。
【００３９】
（Ａ−４．テキストコンテンツ）
また、パラメータ抽出部２０１は、投稿されたテキスト（例えば抽象的または具体的な説明、キーワード等）を意味解析し（例えば意味統合、話題抽出、文章要約）、色や形状、質感等のデザインを決定付けるパラメータを抽出する。また、投稿されたテキストが外部リンクの場合、パラメータ抽出部２０１は、リンク先の画像データ、音声データ、またはテキストデータを取得して上記と同様に解析し、パラメータを抽出する。
【００４０】
（Ｂ．コンテンツに関連する関連情報に基づくパラメータ抽出）
本実施形態によるパラメータ抽出部２０１は、各種解析によりコンテンツから直接的にパラメータを抽出することに限定されず、コンテンツと関連する関連情報からもパラメータを抽出し得る。これにより、コンテンツから想起されるイメージをより忠実にデザイン生成に用いることができる。かかる関連情報は、予め関連情報記憶部２３に記憶されていてもよいし、必要に応じてネットワーク上の他のサーバから取得されてもよい。本実施形態による関連情報とは、例えばコンテンツに紐付けられた他のコンテンツ、コンテンツに埋め込まれたメタデータ、メタデータから抽出したキーワードに基づいて検索した参照情報等である。このような関連情報からもデザインを決定付けるパラメータを抽出することで、ユーザが指定したコンテンツから思い描かれるデザインをより忠実に生成することができる。以下、各関連情報について具体的に説明する。
【００４１】
（Ｂ−１．コンテンツに紐付けられた他のコンテンツ）
コンテンツに紐付けられた他のコンテンツとは、コンテンツと何らかの関係を持つ同種または異種のコンテンツであって、予め関連情報記憶部２３に記憶されている。例えば、特定の音楽コンテンツに対して、当該音楽コンテンツが使用されている映画、ドラマ、コマーシャル、テレビ／インターネット番組、ミュージックビデオ等のコンテンツや、かかるコンテンツの詳細情報（タイトル、ジャンル、内容要約、出演者等）が紐付けられていてもよい。これにより、パラメータ抽出部２０１は、ユーザに投稿された音楽コンテンツの他、当該音楽コンテンツが使用されているコマーシャルや映画等の解析結果やコンテンツ詳細情報から、デザインを決定付けるパラメータ（色、形状、質感等）を抽出することができる。例えば音楽コンテンツの解析により元気良く楽しい曲であることが分かった場合、パラメータ抽出部２０１は、「元気さ」や「楽しさ」を表す色の種類をパラメータモデルＤＢ２２を参照して抽出し、さらに、当該音楽コンテンツに紐付けられてる映像の世界観（頻出するアイテム、モチーフ、背景等）から、色、形状、質感等を抽出する。したがって、例えばユーザが好きなアーティストの曲のミュージックビデオで表現されているそのアーティストの世界観をファッションデザインに反映させることも可能となる。
【００４２】
（Ｂ−２．コンテンツに埋め込まれたメタデータ）
コンテンツに埋め込まれたメタデータとは、例えば音楽コンテンツに埋め込まれている、楽曲タイトル、アーティスト名、ジャンル（例えば、ポップ、メタル、ラテン、ユーロビート、ジャズ、テクノ等）、録音した年等の情報である。
【００４３】
（Ｂ−３．メタデータから抽出したキーワードに基づいて検索した参照情報）
また、本実施形態では、上述したメタデータから抽出されたキーワードに基づいてネットワーク上を検索して取得した参照情報を関連情報として用いてもよい。例えば、パラメータ抽出部２０１は、ジャンル毎のリファレンス画像を持つデータベースから検索したジャンルに応じたリファレンス画像（例えば音楽のジャンル別のファッション画像）や、楽曲タイトルやアーティスト名に基づいて検索した画像（例えばライブ映像、ＣＤジャケット、アーティスト自身の画像等）を画像解析し、パラメータを抽出する。
【００４４】
（Ｂ−４．ユーザ嗜好／状況の反映）
また、本実施形態では、ユーザの嗜好や状況を反映させた関連情報を紐付けることで、ユーザの好みのデザインをより正確に生成することを可能とする。ユーザの状況には、ユーザの周辺環境（季節、天候、気温、湿度、場所等）、またはユーザの行動（平日の行動パターン、休日の行動パターン、スケジュール等）が含まれる。
【００４５】
ユーザの嗜好の反映は、出力結果（すなわちファッションデザインの提示）に対するユーザのフィードバック（例えば気に入ったか否か）に基づいて、制御部２０により所定の学習アルゴリズムを用いて行われ得る。ユーザの嗜好をフィードバックに基づく機械学習で反映させる場合、何らかの初期条件を与えることで、初期状態においてもある程度のユーザ嗜好を反映させることができる。初期条件の設定は、例えばユーザ自身の選択に基づく方法と、ユーザ操作やセンサデータを用いて自動でユーザの好みを学習する方法とが考えられる。なお、機械学習を行わずに初期条件として得られる情報のみで得られた結果を最終結果としてもよい。
【００４６】
（Ｂ−４−１．ユーザ自身の選択に基づく入力初期条件の設定）
ユーザ自身の選択に基づく入力初期条件の設定としては、例えば本実施形態によるデザイン自動生成を実行するアプリケーションの初期設定時に、ユーザの嗜好がある程度把握するための質問画面（チェックシート等）をユーザ端末１で提示し、ユーザの回答に基づいて設定する。
【００４７】
また、サーバ２は、極端に特徴の異なる（例えばジャンル、テンポ等が異なる）複数の楽曲をサンプルとしてユーザ端末１で再生し、楽曲に対応する色を入力画面からユーザに選択させ、選択された色を当該楽曲のジャンルまたはテンポ等に関連情報として紐付けて関連情報記憶部２３に記憶する。また、ユーザ自身が、楽曲と、当該楽曲から想起される風景等の画像を選択して投稿した場合、サーバ２は、風景等の画像の中における支配的な色をパラメータとして抽出することも可能である。
【００４８】
（Ｂ−４−２．ユーザ状況に基づく自動学習）
上述したような初期設定時におけるユーザ選択の他、普段のユーザの状況に基づいてユーザの好みを自動学習し、初期設定することも可能である。
【００４９】
例えば、ユーザがユーザ端末１で日常的に動画や音楽等のコンテンツを視聴している場合、ユーザがいつどのようなコンテンツを視聴しているのかをバックグラウンドで記録し、サーバ２は、これらの記録（すなわち視聴履歴）に基づいてユーザ嗜好を自動学習する。具体的には、視聴履歴に基づいて、例えば朝に激しい曲（テンポが速い等の特徴を持つ曲。例えばメタル等）を聴くのが好きか、または夜に激しい曲を聴くのが好きか等を学習する。これにより、例えばユーザが朝に激しい曲を聴くのが好きな場合、激しい曲に関する当該ユーザの嗜好を反映した関連情報として「朝」が紐付けられて関連情報記憶部２３に記憶される。かかる学習結果に基づいて、例えばユーザがメタル等の激しいジャンルの曲を投稿した場合、パラメータ抽出部２０１は、激しい曲に紐付けられた関連情報「朝」に基づいて、「色の明暗は明るめ」のパラメータを抽出し、また、曲調が激しいので「鋭角的な形状」のパラメータを抽出する。
【００５０】
また、ユーザがユーザ端末１で日常的に音楽を聞きながら写真（撮影画像）を閲覧している場合、ユーザがどのような音楽を聞きながらどのような撮影画像を閲覧しているのかをバックグラウンドで記録し、サーバ２は、これらの記録（すなわち閲覧履歴）に基づいてユーザ嗜好を自動学習する。具体的には、閲覧履歴に基づいて、撮影画像または撮影画像の分類（風景写真、料理の写真、動物の写真、子供の写真、食事中の写真、海の写真、海外旅行の写真等）と、音楽、音楽の種類（ジャンル、テンポ、ピッチ等）を紐付ける。かかる学習結果に基づいて、例えばユーザが旅行の写真を投稿した場合、パラメータ抽出部２０１は、旅行の写真に紐付けられたユーザがよく聞く音楽の解析結果に基づいて、色や形状のパラメータを抽出する。このように、投稿した写真を見る時にユーザがよく聞く音楽からもデザイン決定のためのパラメータを抽出することで、ユーザがその写真から思い描くイメージをより忠実にデザインすることが可能となる。
【００５１】
なお画像と音楽との紐付けは上述した例に限定されず、例えばユーザのＷｅｂブラウジング中に表示された画像とその際のＢＧＭ（background music）を紐付けてもよい。
【００５２】
以上説明したように、ユーザ状況（視聴履歴、閲覧履歴等）に基づいて、楽曲、写真、動画等のコンテンツに対してユーザの嗜好を反映させた関連情報の紐付けが可能となる。
【００５３】
また、コンテンツに対するユーザの嗜好を反映させた関連情報の紐付け方法は、閲覧履歴や視聴履歴に基づく自動学習に限定されず、例えばユーザ端末１（スマートフォン、またはウェアラブル端末等）に設けられた各種センサ（例えば心拍センサ、脈拍センサ、温度センサ、発汗量センサ、動きセンサ（ジャイロセンサ、加速度センサ）、マイクロホン等）により検知されたセンサデータに基づく自動学習も可能である。なお、上記各種センサは、ユーザ端末１に設けられるものに限定されず、例えばユーザ端末１と有線／無線接続したイヤホンに設置されていてもよい。この場合、イヤホンのセンサで取得されたセンサデータはユーザ端末１へ有線／無線で送信される。
【００５４】
例えばユーザ端末１における楽曲再生時や画像閲覧時のユーザの心拍、発汗量、体温、または動き等を各種センサで検知し、サーバ２は、これらの検知結果に基づいて楽曲や画像に対するユーザ嗜好を自動学習し、関連情報として紐付ける。また、サーバ２は、例えば楽曲再生時の心拍パターンと写真等の画像閲覧時の心拍パターンをパターンマッチングして、近いパターンの楽曲と画像を紐付けてもよい。
【００５５】
なおパラメータ抽出部２０１は、ユーザ端末１に設けられたセンサによる検知結果からパラメータを抽出することも可能である。この場合、ユーザ端末１は、日常的に各種センサで検知したセンサデータをサーバ２に送信する。なお送信するタイミングは特に限定しない。より具体的には、例えば皮膚に直接触れるイヤホン等に温度センサを設けてユーザの体温をセンシングし、サーバ２は、センシングされたユーザの体温とその時の天候情報（天気、気温、湿度等）とを比較して、例えば冬であるにも関わらず薄着が好きであることや、寒がりである等の判別を行ってユーザの好みを把握する。そして、パラメータ抽出部２０１は、パラメータ抽出時にこのようなユーザのファッションに関する好みを考慮することで、「薄手の材質」、「重ね着」、または「保温性のある衣服」等のパラメータを抽出することができる。
【００５６】
また、ユーザ端末１に匂いセンサを設けてユーザが操作している時やポケットや鞄に入れている時にユーザの匂いをセンシングし、サーバ２は、センシングされた匂いデータと、香水の匂いデータベースとをパターンマッチングしてユーザが使用している香水を特定し、ユーザの好みを把握する。そして、パラメータ抽出部２０１は、パラメータ抽出時にこのようなユーザが使用している香水を考慮して、例えばネットワーク上から当該香水の広告モデルの服装をリファレンスとして取得し、パラメータを抽出することができる。また、パラメータ抽出部２０１は、匂いの強さに応じてユーザの自己主張度合いを判定し、所定値より強い場合は自己主張が強いユーザと判定して服の色をビビットにする等のパラメータを抽出することもできる。
【００５７】
また、ユーザ端末１にマイクロホンを設けて周囲音や騒音をセンシングし、サーバ２は、センシングされた環境音に基づいてノイズ解析を行い、日常的にユーザの周囲に人が多いか少ないか、例えば都会か田舎か等をユーザの状況として把握する。そして、パラメータ抽出部２０１は、パラメータ抽出時にこのようなユーザ状況を考慮して、例えば都会で流行しているファッション情報や、田舎に溶け込む／目立つファッション情報等をネットワーク上からリファレンスとして取得し、パラメータを抽出することができる。また、サーバ２は、センシングされた環境音に基づいて音声解析を行い、日常的にユーザの周囲に存在する動物や昆虫等をユーザ状況として把握し、パラメータ抽出時にこれらの動物や昆虫等をモチーフとするパラメータを抽出することができる。
【００５８】
以上、パラメータ抽出部２０１によるパラメータ抽出について具体的に説明した。
【００５９】
制御部２０のデザイン生成部２０２は、上述したパラメータ抽出部２０１により抽出されたパラメータを用いて、所定のファッションカテゴリのデザインを生成する。ここで、ファッションカテゴリとは、ファッションに関連する物品であって、例えば衣服、靴、鞄、または装飾品が想定される。より具体的には、トップス、ジャケット/アウター、パンツ、オールインワン、スカート、ワンピース、スーツ/ネクタイ、ファッション雑貨、財布/小物、イヤホン、ヘッドホン、時計、ヘアアクセサリー、アクセサリー（指輪、ネックレス、バングル、イヤリング、ピアス等）、アンダーウェア、レッグウェア、帽子、水着/浴衣、マタニティーウェア、またはベビー服等が想定される。ファッションカテゴリは、ユーザにより特定のカテゴリが指定されてもよいし、トータルコーディネートが指定されてもよい。また、抽出されたパラメータに基づいてシステム側からファッションカテゴリの候補をユーザに提示して選択させてもよい。
【００６０】
パラメータは、上述したようにデザインを決定付ける色、形状、材質等に関するものであるため、デザイン生成部２０２は、これらのパラメータに従ってファッションデザインを生成する。例えばファッションカテゴリが「ワンピース」であって、明るい色、シンプルで可愛い形状、ふんわりした材質、といったパラメータが抽出された場合、デザイン生成部２０２は、図１に示すようなシンプルなラインに胸元切り替えでハイウェストの形状で、洋服の色はライトグレー、サーモンピンク、ライトベージュ、またはオレンジ等で明るく、また、ふんわりした材質として袖をレースにしたワンピースのデザインを生成する。なおこのようなパラメータに対応する各種デザインの候補（デザイン生成用データ）は、デザインモデルＤＢ２４に格納されている。
【００６１】
また、デザイン生成部２０２は、モチーフや被写体がパラメータとして抽出された場合、当該モチーフや被写体をそのままプリントしたデザインや、一部をプリントしたデザインを生成してもよい。
【００６２】
また、本実施形態によるデザイン生成部２０２は、ユーザの外見的特徴を反映させたデザインを生成することも可能である。ファッションのデザインの場合、身に付けるユーザの外見的特徴（例えばスタイルや顔の特徴）によって似合うものとそうでないものがあるためである。デザイン生成の際に外見的特徴を加味するか否かは、予めユーザが選択できるようにしてもよい。ユーザの外見的特徴は、ユーザ端末１から送信されたユーザの撮像画像に基づいてサーバ２の制御部２０が判断してもよいし、ユーザが自身で入力したデータであってもよい。撮像画像は全身が写る画像が望ましいが、全身の画像に特に限定せず、例えばサーバ２の制御部２０は、顔の大きさ等からスタイルを算出することも可能である。
【００６３】
デザイン生成部２０２は、顔の特徴量やスタイル情報に基づいて、サーバ２内のデータベース（不図示）またはＷｅｂ上の情報からユーザに似ている人物（芸能人、ファッションモデル等）の画像をパターンマッチング等により特定し、当該人物の服装をユーザに似合う服装のリファレンスとする（サイズ、色、形状、材質等）。
【００６４】
また、デザイン生成部２０２は、特定した人物画像から取得した服装の色、形状、質感と、上述した楽曲のジャンル毎のリファレンス画像から取得した服装の色、形状、質感とをマージしてデザインを生成してもよい。マージ方法については特に限定しないが、例えば初回は楽曲のジャンル毎のリファレンス画像の方を優先して適用し、ユーザの好みに合わない旨のフィードバックがユーザからあった場合はユーザに似ている人物の画像の方を優先して適用してもよい。また、双方の画像から取得し得る服装の色、形状、質感の平均値を取って適用してもよい。また、ユーザからのフィードバックに応じて、双方の画像のどちらを優先的に反映させるかの重み付けを調整してもよい。また、デザイン生成部２０２は、さらに楽曲のピッチ等の特徴量を反映させて最終的なデザインの調整を行ってもよい。
【００６５】
提示制御部２０３は、デザイン生成部２０２により生成されたデザインをユーザへ提示するよう制御する機能を有する。具体的には、提示制御部２０３は、生成されたデザインを含む画像データを、通信部２１からネットワーク３を介してユーザ端末１へ送信し、ユーザ端末１の表示部１６で表示するよう制御する。
【００６６】
通信部２１は、外部装置と有線／無線を介してデータの送受信を行う。例えば通信部１１は、ユーザ端末１とネットワーク３を介して接続し、ユーザが投稿したコンテンツを受信したり、生成したデザインに関する情報を送信したりする。
【００６７】
パラメータモデルＤＢ２２は、コンテンツの解析結果（例えば明暗、輝度、波形、周波数成分等）に対応するパラメータ（色、形状、質感等のファッションデザインを決定付けるパラメータ）のモデルデータを格納する。
【００６８】
関連情報記憶部２３は、コンテンツに関連する関連情報を格納する。関連情報の具体例については上述したため、ここでの説明は省略する。
【００６９】
デザインモデルＤＢ２４は、パラメータに対応する各種デザインの候補（デザイン生成用データ）を格納する。
【００７０】
デザイン記憶部２５は、ユーザ端末１でユーザに提示したデザインがユーザ操作により保存指示された場合に、当該デザインデータを記憶する。また、デザイン記憶部２５は、デザインをユーザ毎に記憶してデザインのアイデアリストとして保存する。
【００７１】
以上、サーバ２の構成について具体的に説明した。なお図４に示す構成は一例であって、例えば各種データベース（パラメータモデルＤＢ２２、関連情報記憶部２３、デザインモデルＤＢ２４、およびデザイン記憶部２５）は、ネットワーク上の他サーバにあってもよい。
【００７２】
続いて、本実施形態による動作処理について図５および図６を参照して具体的に説明する。
【００７３】
＜＜３．動作処理＞＞
＜３−１．デザイン提示処理＞
図５は、本実施形態によるデザイン提示処理を示すフローチャートである。図５に示すように、まず、サーバ２は、デザイン生成の素材となるコンテンツを取得する（ステップＳ１０３）。具体的には、サーバ２は、ユーザによりユーザ端末１から投稿される画像、楽曲、またはテキスト等を通信部２１で受信する。
【００７４】
次に、サーバ２は、デザインの対象となるファッションカテゴリを取得する（ステップＳ１０６）。ファッションカテゴリは、例えばユーザによりユーザ端末１で選択され、上記コンテンツと併せて送信され得る。
【００７５】
次いで、サーバ２は、プロやアマチュアによるデザインを実行する場合（ステップＳ１０９／Ｙｅｓ）、登録された所定の外部装置へデザイン依頼を送信する（ステップＳ１１２）。具体的には、サーバ２は、ユーザから投稿されたコンテンツ、および指定されたファッションカテゴリを、デザイン依頼として通信部２１から所定の外部装置へ送信する。この際、サーバ２は、ユーザ嗜好情報、ユーザ状況、またはユーザの外見的特徴等を併せて送信してもよい。本実施形態において、プロやアマチュアによるデザインの実行は、コンテンツの投稿時等にユーザが選択できるようにする。
【００７６】
次に、サーバ２は、プロやアマチュアにより生成されたデザインを外部装置から受信する（ステップＳ１１５）。
【００７７】
一方、プロやアマチュアによるデザインを実行しない場合、すなわちデザインを自動生成する場合（ステップＳ１０９／Ｎｏ）、サーバ２の制御部２０は、投稿されたコンテンツに基づいて、指定されたファッションカテゴリのデザインを生成する（ステップＳ１１８）。
【００７８】
次いで、サーバ２の提示制御部２０３は、生成されたデザインをユーザに提示する（ステップＳ１２１）。具体的には、提示制御部２０３は、デザイン生成部２０２により生成されたデザインを通信部２１からユーザ端末１へ送信し、ユーザ端末１の表示部１６で表示するよう制御する。この際、提示制御部２０３は、生成したデザインと類似する商品の有無をアラーム機能により通知し、肖像権や著作権に対応することも可能である。また、サーバ２は、生成したデザインをユーザが利用しているソーシャルネットワーク上で公開し、他ユーザからの評価やコメントを取得できるようにしてもよい。
【００７９】
次に、ユーザからデザイン変更の指示があった場合（ステップＳ１２４／Ｙｅｓ）、サーバ２は、上記ステップＳ１０９〜Ｓ１２１を繰り返し、ユーザ指示を反映したデザインを再度ユーザに提示する。デザイン変更の指示は、例えば色、形状、または質感の変更や、ファッションカテゴリの変更、新たなコンテンツの投稿、コンテンツの変更等が想定される。
【００８０】
次いで、サーバ２は、ユーザによるデザイン保存指示に応じて、ユーザに提示したデザインをデザイン記憶部２５に保存する（ステップＳ１２７）。また、ユーザによるデザインの保存指示は、ユーザがデザインを気に入ったことを意味するため、サーバ２は、当該フィードバックに基づいてユーザの嗜好情報（どのようなファッションが好みであるか等）を取得し得る。
【００８１】
以上、本実施形態によるデザイン提示処理について説明した。なお、本実施形態によるサーバ２は、プロやアマチュアによるデザインとデザイン生成部２０２により自動生成したデザインとの両方をユーザに提示するようにしてもよい。また、サーバ２は、デザイン生成部２０２により自動生成された複数のデザインをユーザに提示するようしてもよい。さらに、サーバ２は、保存したデザインに対してユーザにより商品化申請の指示があった場合、商品化のため当該デザインを所定の外部装置に送信し、商品化依頼を行ってもよい。
【００８２】
＜３−２．デザイン生成処理＞
続いて、図５のステップＳ１１８に示すデザイン生成処理について、図６を参照して具体的に説明する。図６は、本実施形態によるデザイン生成処理を示すフローチャートである。
【００８３】
図６に示すように、まず、サーバ２のパラメータ抽出部２０１は、取得したコンテンツの関連情報を取得する（ステップＳ１３３）。関連情報とは、上述したように、例えばコンテンツに紐付けられた他のコンテンツ、コンテンツに埋め込まれたメタデータ、メタデータから抽出したキーワードに基づいて検索した参照情報等である。
【００８４】
次に、パラメータ抽出部２０１は、取得したコンテンツを解析する（ステップＳ１３６）。例えばパラメータ抽出部２０１は、画像解析、シーン検出、音声解析、音声認識、または意味解析等を行う。
【００８５】
次いで、パラメータ抽出部２０１は、コンテンツの解析結果およびコンテンツの関連情報からファッションデザインを決定付けるためのパラメータ（色、形状、質感等）を抽出する（ステップＳ１３９）。
【００８６】
そして、デザイン生成部２０２は、抽出したパラメータを用いて、指定されたファッションカテゴリのデザインを生成する（ステップＳ１４２）。この際、デザイン生成部２０２は、デザインモデルＤＢ２４に格納されているパラメータに応じたデザイン生成用データを用いてもよい。
【００８７】
＜＜４．表示例＞＞
続いて、本実施形態によるデザインのユーザ提示例について説明する。本実施形態によるデザインの提示は、例えば図１に示すようにユーザ端末１でデザインを１つ表示させる他、複数のデザインを表示させる方法であってもよい。以下図７を参照して具体的に説明する。
【００８８】
図７は、本実施形態によるデザイン提示画面の一例を示す図である。図示された例では、画面１１０に、生成したデザイン画像１１１と、選択画面１１２と、選択した情報を考慮して生成したデザイン画像群１１３とが表示されている。選択画面１１２には、デザインを生成する際に考慮する情報が示される。例えば「匂い」が選択された場合、サーバ２のデザイン生成部２０２は、ユーザから投稿されたコンテンツや関連情報から抽出されたパラメータに加えて、匂い毎のパラメータを考慮したデザインを生成する。具体的には、例えば花の香り、グレープフルーツの匂い、またはユーザの香り（ユーザ端末１に設けられた匂いセンサにより取得した匂いデータが用いられる）等から抽出した各パラメータを考慮して各々デザインを生成する。また、「音楽」が選択された場合、サーバ２のデザイン生成部２０２は、ユーザから投稿されたコンテンツや関連情報から抽出されたパラメータに加えて、音楽のジャンル毎のパラメータを考慮したデザインを生成する。具体的には、例えばラテン、ジャズ、カントリー、Ｒ＆Ｂ、テクノ、またはポップ等から抽出した各パラメータを考慮して各々デザインを生成する。
【００８９】
デザイン画像群１１３には、上述したように各パラメータを考慮して各々生成された複数のデザインが表示されている。例えばユーザがデザイン画像群１１３から１のデザイン画像を選択すると、画面１１０の上方（図７においてデザイン画像１１１が表示されている領域）に拡大表示され得る。
【００９０】
また、本実施形態によるデザインの提示は、３Ｄ表示により行ってもよい。この場合、デザイン生成部２０２は、３次元の形状データを有するファッションデザインを生成する。３Ｄで表示することで、ユーザは、ユーザ端末１の表示部１６のような２次元の画面上で、デザインの角度を自由に変更して確認することができる。また、提示制御部２０３は、ユーザ操作に応じて様々なフィルターをかけた状態のファッションデザインを表示することも可能である。
【００９１】
例えば、提示制御部２０３は、季節フィルターとして、季節毎に所定の背景、光加減、材質、または色の組み合わせでファッションデザインを表示させることも可能である。例えば春フィルターが選択された場合、提示制御部２０３は、背景に桜の木や桜の花びらが舞う様子を表示し、さらにデザイン生成部２０２により材質と色を春に合わせたものに変更されたファッションデザインを表示する。また、例えば夏フィルターが選択された場合、提示制御部２０３は、背景に海、ひまわり、砂浜等を表示し、さらに強い日差しを再現し、また、デザイン生成部２０２により材質と色を夏に合わせたものに変更されたファッションデザインを表示する。これにより、ユーザは、提示されたファッションデザインが季節に合うか否かを直感的に確認することができる。
【００９２】
また、提示制御部２０３は、風フィルターとして、提示したデザインの洋服が風になびく様子を表示させることも可能である。これにより、ユーザは、提示されたデザインの洋服に使用されている素材の軽さや質感を直感的に確認することができる。また、提示制御部２０３は、照明フィルターとして、提示されたファッションデザインの色を指定された光加減に応じて変更させることで、ユーザは、室内、屋外、晴天時、または曇天時等の周囲の照度が異なる場合におけるファッションデザインの色の見え方の違いを直感的に把握することができる。
【００９３】
また、提示制御部２０３は、ファッションフィルターとして、提示したファッションデザインのテイストを変更して表示させることも可能である。具体的には、提示制御部２０３は、デザイン生成部２０２により生成された、所定のファッションのテイストが反映されたファッションデザインを表示させる。ファッションのテイストとは、例えばプレッピー、アメカジ（アメリカンカジュアル）、エキセントリック、オリエンタル、コケティッシュ、スポーティー、ドレッシー、ノスタルジック、フェミニン、ミリタリー、ヴィクトリアン、マニッシュ、マリン等が挙げられる。
【００９４】
また、提示制御部２０３は、材質フィルターとして、提示したファッションデザインの材質をユーザに選択された材質に変更して表示することも可能である。材質の選択項目としては、例えば「質感（硬−柔）」、「光沢（つや−マット）」、「素材（重−軽、厚−薄）」等が想定される。
【００９５】
＜＜５．まとめ＞＞
上述したように、本開示の実施形態による情報処理システムでは、ユーザが選択したコンテンツに基づいて物品デザインを生成し、ユーザ負担を軽減することが可能となる。
【００９６】
これにより、例えば好きなアーティストのコンサートに着て行くファッションをデザインしたい場合、ユーザは、当該アーティストの楽曲やミュージックビデオを素材コンテンツとして投稿し、楽曲やミュージックビデオで用いられるモチーフや色合い、雰囲気等の世界観が反映されたファッションアイテムを取得することができる。
【００９７】
また、ユーザが一人とは限らず、サーバ２は、例えば複数ユーザがソーシャルネットでやり取りしたコンテンツ（例えば撮像画像、メッセージの内容等）に基づいて、複数のファッションデザインを生成してもよい。この際、サーバ２は、ファッションデザインの一部が各ユーザがそれぞれ発信した撮像画像やメッセージ内容に応じたものにすることで、全体での統一感を維持しつつも、一部がそれぞれ異なる複数のファッションデザインを提示することができる。また、サーバ２は、ユーザにより指定された１以上の他ユーザの外見的特徴や嗜好情報等を考慮して、統一感を維持しつつも、一部がそれぞれ異なる複数のファッションデザインを生成してもよい。具体的には、サーバ２は、ファッションデザインの一部を、各ユーザ（ユーザ本人および指定した１以上の他ユーザ）の外見的特徴や嗜好情報等を考慮してそれぞれ変更した複数のファッションデザインを生成する。
【００９８】
また、サーバ２は、ユーザから投稿されたコンテンツの他、デザインの指示が入力された場合、これに従ったデザインを生成することも可能である。例えば、ユーザが古くなった鞄の撮像画像と、「素材はもっと柔らかめで柄を夏仕様に」といった説明文を投稿すると、サーバ２のデザイン生成部２０２は、撮像画像から抽出した鞄の形状と、説明文から抽出されるパラメータ（素材：柔らかめ、柄：夏仕様）とに基づいて、新しい鞄のデザインを生成することができる。
【００９９】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１００】
例えば、上述したユーザ端末１、またはサーバ２に内蔵されるＣＰＵ、ＲＯＭ、およびＲＡＭ等のハードウェアに、ユーザ端末１、またはサーバ２の機能を発揮させるためのコンピュータプログラムも作成可能である。また、当該コンピュータプログラムを記憶させたコンピュータ読み取り可能な記憶媒体も提供される。
【０１０１】
また、上述した実施形態では、ユーザ端末１およびサーバ２から成る情報処理システムとして説明したが、本開示はこれに限定されず、例えばサーバ２が有する制御部２０の各種機能や関連情報記憶部２３をユーザ端末１が有する構成としてもよい。これにより、ユーザ端末１は、上述したパラメータ抽出、デザイン生成、および提示制御の少なくとも一部を実行可能となる。また、上述したサーバ２で行われる全ての処理をユーザ端末１のみで実行することも可能である。
【０１０２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０３】
なお、本技術は以下のような構成も取ることができる。
（１）
ユーザに選択されたコンテンツおよび前記コンテンツに関連する関連情報に基づいて、物品デザインを生成するためのパラメータを抽出する抽出部と、
前記パラメータを用いて、指定された物品のデザインを生成する生成部と、
前記生成したデザインを前記ユーザへ提示するよう制御する提示制御部と、
を備える、情報処理装置。
（２）
前記関連情報は、前記コンテンツに紐付けられた同じまたは異なる種別のコンテンツである、前記（１）に記載の情報処理装置。
（３）
前記コンテンツは、音楽データまたは画像データである、前記（１）または（２）に記載の情報処理装置。
（４）
前記関連情報は、前記コンテンツに埋め込まれているメタデータである、前記（３）に記載の情報処理装置。
（５）
前記関連情報は、音楽データに埋め込まれているメタデータから抽出したキーワードに基づいて検索した画像データである、前記（４）に記載の情報処理装置。
（６）
前記関連情報は、前記コンテンツに紐付けられた、ユーザの嗜好または状況が反映されたコンテンツである、前記（２）に記載の情報処理装置。
（７）
前記抽出部は、前記ユーザに選択されたコンテンツである音楽データまたは画像データを解析して得た特徴量からパラメータを抽出する、前記（１）〜（６）のいずれか１項に記載の情報処理装置。
（８）
前記パラメータは、色、形状、または質感の少なくともいずれかである、前記（１）〜（７）のいずれか１項に記載の情報処理装置。
（９）
前記生成部は、ユーザの外見的特徴をさらに用いて前記物品のデザインを生成する、前記（１）〜（８）のいずれか１項に記載の情報処理装置。
（１０）
前記生成部は、前記物品として、衣服、靴、鞄、装飾品、またはインテリアのデザインを生成する、前記（１）〜（９）のいずれか１項に記載の情報処理装置。
（１１）
前記関連情報は、センサによる検知結果に基づいて前記コンテンツと関連付けられる、前記（１）〜（１０）のいずれか１項に記載の情報処理装置。
（１２）
前記センサは、心拍センサである、前記（１１）に記載の情報処理装置。
（１３）
前記関連情報は、音楽データまたは画像データである、前記（１２）に記載の情報処理装置。
（１４）
前記抽出部は、センサによる検知結果に基づいて、前記物品デザインを生成するためのパラメータを抽出する、前記（１）〜（１３）のいずれか１項に記載の情報処理装置。
（１５）
前記センサは、匂いセンサである、前記（１４）に記載の情報処理装置。
（１６）
前記生成部は、ユーザからの変更指示に応じて前記物品のデザインを変更する、前記（１）〜（１５）のいずれか１項に記載の情報処理装置。
（１７）
プロセッサが、
ユーザに選択されたコンテンツおよび前記コンテンツに関連する関連情報に基づいて、物品デザインを生成するためのパラメータを抽出することと、
前記パラメータを用いて、指定された物品のデザインを生成することと、
前記生成したデザインを前記ユーザへ提示するよう制御することと、
を含む、情報処理方法。
（１８）
コンピュータを、
ユーザに選択されたコンテンツおよび前記コンテンツに関連する関連情報に基づいて、物品デザインを生成するためのパラメータを抽出する抽出部と、
前記パラメータを用いて、指定された物品のデザインを生成する生成部と、
前記生成したデザインを前記ユーザへ提示するよう制御する提示制御部と、
として機能させるための、プログラム。
【符号の説明】
【０１０４】
１    ユーザ端末
１０  制御部
１１  通信部
１２    カメラ
１３    マイクロホン
１４    操作入力部
１５    記憶部
１６    表示部
１７    スピーカ
２    サーバ
２０    制御部
２０１    パラメータ抽出部
２０２    デザイン生成部
２０３    提示制御部
２１    通信部
２２    パラメータモデルＤＢ
２３    関連情報記憶部
２４    デザインモデルＤＢ
２５    デザイン記憶部
３    ネットワーク
【図１】
2017098760.tif 000003
【図２】
2017098760.tif 000004
【図３】
2017098760.tif 000005
【図４】
2017098760.tif 000006
【図５】
2017098760.tif 000007
【図６】
2017098760.tif 000008
【図７】
2017098760.tif 000009
【国際調査報告】
2017098760.tif 000010
2017098760.tif 000011
2017098760.tif 000012
2017098760.tif 000013